(57)【要約】【課題】それぞれのパネル基板の電極を駆動回路側に接続するための引き出し線の接続端子を、一方のパネル基板の１辺側あるいは対向する２辺に集めた場合でも、パネルの狭額縁化を達成することができる情報表示用パネルを提供する。【解決手段】第１の基板の透明なストライプ電極と第２の基板のストライプ電極とが直交対向するようにして、かつ、第１の基板と第２の基板との対向空間の情報表示画面領域に、帯電性粒子を含んだ粒子群として構成した表示媒体を少なくとも２種類封止するとともに、第１の基板のストライプ電極から引き出したライン状電極と、Ｌ字型フレキシブルケーブルとを電気的に接続するようにして、第１の基板１２、第２の基板１１、Ｌ字型フレキシブルケーブル２４の順に重ねて貼り合わせた構造として、対向したストライプ電極で形成した電極対に駆動回路で制御された電圧を印加して発生させた電界で、前記表示媒体を移動させて情報を画像表示するように構成した。【選択図】図３
2010145740.tif 000002
【特許請求の範囲】
【請求項１】
情報表示画面領域に透明なストライプ電極が形成され、情報表示画面領域以外の領域に前記ストライプ電極から引き出したライン状電極が形成された第１の基板と、情報表示画面領域にストライプ電極が形成され、情報表示画面領域以外の領域に前記ストライプ電極から引き出したライン状電極が形成されたフィルム状の第２の基板と、駆動回路への接続配線用のライン状電極が形成されたＬ字型フレキシブルケーブルで構成したドットマトリックス型情報表示用パネルにおいて、第１の基板の透明なストライプ電極と第２の基板のストライプ電極とが直交対向するようにして、かつ、第１の基板と第２の基板との対向空間の情報表示画面領域に、帯電性粒子を含んだ粒子群として構成した表示媒体を少なくとも２種類封止するとともに、第１の基板のストライプ電極から引き出したライン状電極と、前記Ｌ字型フレキシブルケーブルとを電気的に接続するようにして、第１の基板、第２の基板、Ｌ字型フレキシブルケーブルの順に重ねて配置した構造として、対向したストライプ電極で形成した電極対に駆動回路で制御された電圧を印加して発生させた電界で、前記表示媒体を移動させて情報を画像表示するように構成したことを特徴とする情報表示用パネル。
【請求項２】
前記第１の基板のストライプ電極から引き出したライン状電極と、前記Ｌ字型フレキシブルケーブルとを電気的に接続する手段が、導電性粒子を非導電性樹脂に含ませた構成の異方導電接続材であることを特徴とする請求項１に記載の情報表示用パネル。
【請求項３】
前記Ｌ字型フレキシブルケーブルに形成されたライン状電極数は、駆動回路側と接続する途中に、あるいは、駆動回路側の一部として配置される１個の駆動用ＩＣの出力側端子数以内であって、前記透明な第１の基板に形成されたストライプ電極の本数に合わせて、前記Ｌ字型フレキシブルケーブルを複数用いて構成したことを特徴とする請求項１または２に記載の情報表示用パネル。
【請求項４】
前記フィルム状の第２の基板の厚さが、２５μｍ〜２００μｍのものであることを特徴とする請求項１〜３のいずれか１項に記載の情報表示用パネル。
【請求項５】
前記Ｌ字型フレキシブルケーブルの駆動回路への接続配線用のライン状電極を、前記第２の基板のストライプ電極から引き出したライン状電極が引き出されたパネルの１辺に、あるいは、前記第２の基板のストライプ電極から引き出されたライン状電極が引き出されたパネルの１辺と対向する辺に、あるいは、パネルの前記対向する両辺に、引き出したことを特徴とする請求項１〜４のいずれか１項に記載の情報表示用パネル。
【発明の詳細な説明】
【技術分野】
【０００１】
本発明は、帯電性粒子を含んだ粒子群として構成した色および帯電極性が異なる２種類の表示媒体を、観察側パネル基板と背面側パネル基板との間に設けた複数のセル内に封止し、この２種類の表示媒体を、前記２枚のパネル基板に設けた電極を対向させて形成した対電極に電圧を印加して形成した電界で反転駆動させて画像等の情報表示を行う方式の情報表示用パネルに関するものである。
【背景技術】
【０００２】
従来、透明な前面基板と透明であることを要しない背面基板との間に表示媒体を封入し、各基板に設けた電極間に電圧を印加し、表示媒体に電界を与えることにより、表示媒体を移動させて画像等の情報を表示する情報表示用パネルにおいて、前面基板の少なくとも表示エリアに設けられた透明な無機導電膜からなる第１のストライプ電極と；背面基板の少なくとも表示エリアに設けられた、金属膜からなるとともに第１のストライプ電極とほぼ直交して設けられた第２のストライプ電極と；背面基板の表示エリア外に設けられた、金属膜からなるとともに第２のストライプ電極に接続した第２の引き出し線と；背面基板の表示エリア外に設けられた、金属膜からなるとともに第１のストライプ電極と接続した第１の引き出し線と；から構成されることを特徴とする情報表示用パネルが知られている（例えば、特許文献１参照）。
【０００３】
図１１（ａ）〜（ｃ）はそれぞれ上述した従来の情報表示用パネルの一例を説明するための図である。まず、図１１（ａ）に示すように、透明なフィルム基板等からなる観察側基板５１の少なくとも情報表示画面領域５２に対応する位置に、透明な酸化インジウム錫（ＩＴＯ）などの無機導電性膜からなる第１のストライプ電極５３をパターニングして形成する。次に、図１１（ｂ）に示すように、背面側基板５４上に、いずれも金属膜から構成されている、第２のストライプ電極５５、第２の引き出し線５６および第１の引き出し線５７を、パターニングして形成する。
【０００４】
この際、第２のストライプ電極５５は、背面側基板５４上の少なくとも情報表示画面領域５２に対応する位置に、観察側基板５１と背面側基板５４とを重ね合わせたとき、第１のストライプ電極５３とほぼ直交するよう形成されている。また、第２の引き出し線５６は、背面側基板５４上の情報表示画面領域５２外の位置に、第２のストライプ電極５５と接続して、パネルの一端面（ＴＣＰ：Tape Carrier Packageの実装部となる）まで引き回して形成されている。さらに、第１の引き出し線５７は、背面側基板５４の情報表示画面領域５２外の位置に、観察側基板５１と背面側基板５４とを重ね合わせたときに、第１のストライプ電極５３の端部と第１の引き出し線５７の端部とが上下に重なるように、パネルの一端面から形成されている。
【０００５】
最後に、図１１（ｃ）に示すように、導電性粒子を含み異方導電性を有する異方導電接続材（ここでは異方導電シール剤）５８を、情報表示画面領域５２の外周であって情報表示画面領域５２を囲むよう、そして、第１のストライプ電極５３の端部と第１の引き出し線５７の端部とが重なり合う部分（図中その一部に○を付す）に配置されるよう、設けた状態で、観察側基板５１と背面側基板５４とを貼り合わせることで、情報表示用パネルを得ている。ここでは、異方導電シール剤にて導通をとる構成としたが、２枚の基板を貼り合わせる接着剤にその機能を持たせることもできる。
【０００６】
【特許文献１】特開２００７−３２２８０５号公報
【発明の開示】
【発明が解決しようとする課題】
【０００７】
上述した従来の情報表示用パネルでは、それぞれのパネル基板の電極を駆動回路に接続するための引き出し線の接続端子を、一方のパネル基板の１辺側に集めて、この接続端子と駆動回路とを接続する構成としようとすると、他方のパネル基板の引き出し線を９０度に曲げて引き回した引き出し線が配置されることになり、その領域が情報表示を行えないいわゆる額縁となってしまい、パネル全面のうち表示画面とできる領域が狭いものになっていた。
【０００８】
また、一方のパネル基板の１辺側に集められた接続端子と駆動回路とを接続するときに、駆動用ＩＣチップを直接実装する技術（ＣＯＧ：ＩＣチップをガラス基板に実装、ＣＯＦ：ＩＣチップをフィルム基板に実装、ＣＯＰ：ＩＣチップをプラスチック基板に実装）を用いたり、駆動用ＩＣチップがＴＡＢ実装されたフレキシブルケーブル基板を用いたりする場合に、駆動用ＩＣチップや駆動用ＩＣチップがＴＡＢ実装されたフレキシブルケーブル基板を複数並べて接続しなければならないため、その並べた長さよりも長い１辺を有するパネル基板を用いなければならないことも額縁を大きくしてしまうことに繋がっていた。
【０００９】
本発明は上述した問題点を解消して、それぞれのパネル基板の電極を駆動回路に接続するための引き出し線の接続端子を、一方のパネル基板の１辺側あるいは対向する２辺に集めた場合でも、パネルの狭額縁化を達成することができる情報表示用パネルを提供しようとするものである。
【課題を解決するための手段】
【００１０】
本発明の情報表示用パネルは、情報表示画面領域に透明なストライプ電極が形成され、情報表示画面領域以外の領域に前記ストライプ電極から引き出したライン状電極が形成された第１の基板と、情報表示画面領域にストライプ電極が形成され、情報表示画面領域以外の領域に前記ストライプ電極から引き出したライン状電極が形成されたフィルム状の第２の基板と、駆動回路への接続配線用のライン状電極が形成されたＬ字型フレキシブルケーブルで構成したドットマトリックス型情報表示用パネルにおいて、第１の基板の透明なストライプ電極と第２の基板のストライプ電極とが直交対向するようにして、かつ、第１の基板と第２の基板との対向空間の情報表示画面領域に、帯電性粒子を含んだ粒子群として構成した表示媒体を少なくとも２種類封止するとともに、第１の基板のストライプ電極から引き出したライン状電極と、前記Ｌ字型フレキシブルケーブルとを電気的に接続するようにして、第１の基板、第２の基板、Ｌ字型フレキシブルケーブルの順に重ねて配置した構造として、対向したストライプ電極で形成した電極対に駆動回路で制御された電圧を印加して発生させた電界で、前記表示媒体を移動させて情報を画像表示するように構成したことを特徴とするものである。
【００１１】
また、本発明の情報表示用パネルの好適例としては、前記第１の基板のストライプ電極から引き出したライン状電極と、前記Ｌ字型フレキシブルケーブルとを電気的に接続する手段が、導電性粒子を非導電性樹脂に含ませた構成の異方導電接続材であること、前記Ｌ字型フレキシブルケーブルに形成されたライン状電極数は、駆動回路側と接続する途中に、あるいは、駆動回路側の一部として配置される１個の駆動用ＩＣの出力側端子数以内であって、前記透明な第１の基板に形成されたストライプ電極の本数に合わせて、前記Ｌ字型フレキシブルケーブルを複数用いて構成したこと、前記フィルム状の第２の基板の厚さが、２５μｍ〜２００μｍのものであること、前記Ｌ字型フレキシブルケーブルの駆動回路への接続配線用のライン状電極を、前記第２の基板のストライプ電極から引き出したライン状電極が引き出されたパネルの１辺に、あるいは、前記第２の基板のストライプ電極から引き出されたライン状電極が引き出されたパネルの１辺と対向する辺に、あるいは、パネルの前記対向する両辺に、引き出したこと、がある。
【発明の効果】
【００１２】
本発明によれば、情報表示画面領域に透明なストライプ電極が形成され、情報表示画面領域以外の領域に前記ストライプ電極から引き出したライン状電極が形成された第１の基板と、情報表示画面領域にストライプ電極が形成され、情報表示画面領域以外の領域に前記ストライプ電極から引き出したライン状電極が形成されたフィルム状の第２の基板と、駆動回路への接続配線用のライン状電極が形成されたＬ字型フレキシブルケーブルで構成したドットマトリックス型情報表示用パネルにおいて、第１の基板の透明なストライプ電極と第２の基板のストライプ電極とが直交対向するようにして、かつ、第１の基板と第２の基板との対向空間の情報表示画面領域に、帯電性粒子を含んだ粒子群として構成した表示媒体を少なくとも２種類封止するとともに、第１の基板のストライプ電極から引き出したライン状電極と、前記Ｌ字型フレキシブルケーブルとを電気的に接続するようにして、第１の基板、第２の基板、Ｌ字型フレキシブルケーブルの順に重ねて貼り合わせた構造としたので、ストライプ電極から情報表示画面領域以外の領域に引き出したライン状電極が占める領域を小さくすることができ、額縁部分を小さくすることができる。
【００１３】
また、本発明によれば、情報表示画面領域に透明なストライプ電極が形成され、情報表示画面領域以外の領域に前記ストライプ電極から引き出したライン状電極が形成された第１の基板と、情報表示画面領域にストライプ電極が形成され、情報表示画面領域以外の領域に前記ストライプ電極から引き出したライン状電極が形成されたフィルム状の第２の基板と、駆動回路への接続配線用のライン状電極が形成されたＬ字型フレキシブルケーブルで構成したドットマトリックス型情報表示用パネルにおいて、第１の基板の透明なストライプ電極と第２の基板のストライプ電極とが直交対向するようにして、かつ、第１の基板と第２の基板との対向空間の情報表示画面領域に、帯電性粒子を含んだ粒子群として構成した表示媒体を少なくとも２種類封止するとともに、第１の基板のストライプ電極から引き出したライン状電極と、前記Ｌ字型フレキシブルケーブルとを電気的に接続するようにして、第１の基板、第２の基板、Ｌ字型フレキシブルケーブルの順に重ねて貼り合わせた構造としたので、第１の基板のストライプ電極から引き回したライン状電極と駆動用ＩＣチップ搭載フレキシブルケーブルと、第２の基板のストライプ電極から引き回したライン状電極と駆動用ＩＣチップ搭載フレキシブルケーブルとを同じ基板上の１辺に並べるのではなく、２段になるようにして並べるので、各接続部分に重なりを持たせて並べることができるようになり、駆動用ＩＣチップが実装された接続部分を並べた長さを短くし、それに合せたパネル基板サイズにすることによって、パネル面において情報表示領域以外が占める額縁部分を小さくすることができる。
【発明を実施するための最良の形態】
【００１４】
まず、本発明の対象となる情報表示用パネルの構成について説明する。本発明の対象となる情報表示用パネルでは、対向する２枚の基板間に封入した帯電性粒子を含んだ粒子群として構成した表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示情報を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１５】
本発明の対象となる情報表示用パネルの例を、図１（ａ）、（ｂ）に基づき説明する。図１（ａ）、（ｂ）に示す例では、少なくとも光学的反射率および帯電性を有する粒子を含んだ粒子群として構成した光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板２に設けたストライプ電極６と基板１に設けたストライプ電極５とが対向直交交差して形成する画素電極対に電圧を印加することにより発生する電界に応じて、基板１、２と垂直に移動させる。そして、図１（ａ）に示すように白色表示媒体３Ｗを観察者に視認させて白色表示を、あるいは、図１（ｂ）に示すように黒色表示媒体３Ｂを観察者に視認させて黒色表示を、白黒のドットでマトリックス表示している。なお、図１（ａ）、（ｂ）において、手前にある隔壁は省略している。ここではセルと画素とが対応するように隔壁を形成しているが、隔壁は画素の位置と無関係に形成することもできる。
【００１６】
本発明の情報表示用パネルの特徴は、上述した構成の情報表示用パネルを基本として、情報表示画面領域に透明なストライプ電極が形成され、情報表示画面領域以外の領域に前記ストライプ電極から引き出したライン状電極が形成された第１の基板と、情報表示画面領域にストライプ電極が形成され、情報表示画面領域以外の領域に前記ストライプ電極から引き出したライン状電極が形成されたフィルム状の第２の基板と、駆動回路への接続配線用のライン状電極が形成されたＬ字型フレキシブルケーブルで構成したドットマトリックス型情報表示用パネルにおいて、第１の基板の透明なストライプ電極と第２の基板のストライプ電極とが直交対向するようにして、かつ、第１の基板と第２の基板との対向空間の情報表示画面領域に、帯電性粒子を含んだ粒子群として構成した表示媒体を少なくとも２種類封止するとともに、第１の基板のストライプ電極から引き出したライン状電極と、前記Ｌ字型フレキシブルケーブルとを電気的に接続するようにして、第１の基板、第２の基板、Ｌ字型フレキシブルケーブルの順に重ねて貼り合わせた構造として、対向したストライプ電極で形成した電極対に駆動回路で制御された電圧を印加して発生させた電界で、前記表示媒体を移動させて情報を画像表示するように構成した点にある。
【００１７】
以下、本発明の情報表示用パネルの具体的な例について、図面を参照して説明する。
【００１８】
＜第１の実施の形態について＞
図２（ａ）〜（ｃ）はそれぞれ本発明の情報表示用パネルを構成する第１の基板、第２の基板およびＬ字型フレキシブルケーブルの第１の実施の形態を説明するための図である。図２（ａ）〜（ｃ）に示す第１の実施の形態は、駆動回路側の接続を同じ１辺で行う例を示している。
【００１９】
まず、図２（ａ）に示す第１の基板（観察側基板）１２は、情報表示画面領域（図中点線で囲まれた領域）に透明なストライプ電極（透明導電膜）１６が形成され、情報表示画面領域以外の領域に前記ストライプ電極１６から引き出したライン状電極（導電膜）２１が形成された透明な基板として構成される。次に、図２（ｂ）に示す第２の基板（背面側基板）１１は、情報表示画面領域にストライプ電極（導電膜）１５が形成され、情報表示画面領域以外の領域に前記ストライプ電極１５から引き出したライン状電極（導電膜）２２が形成されたフィルム状の基板として構成される。駆動用ＩＣの接続端子数に対応してまとめられたライン状電極２２は、パネルの１辺において、外部の駆動回路側と接続される駆動用ＩＣがＴＡＢ実装されたフレキシブルケーブル２３に接続されている。この第２の基板１１の厚さはできるだけ薄いことが好ましく、フィルム状の第２の基板１１の厚さが２５μｍ〜２００μｍのものであることが好ましい。次に、図２（ｃ）に示すＬ字型フレキシブルケーブル２４は、駆動回路側への接続配線用のＬ字形状のライン状電極（導電膜）２５が形成されたフレキシブルケーブルであり、ここでは必要な駆動用ＩＣの数に合わせて３枚のＬ字型フレキシブルケーブルを用いている。電極２５は駆動用ＩＣの接続端子数に対応して形成されており、第２の基板のフレキシブルケーブル２３を配置した辺と同じ１辺において、外部の駆動回路側とのフレキシブルケーブル２６にて接続されている。なお、フレキシブルケーブル２３、２６に駆動用ＩＣをＴＡＢ実装したり、ＣＯＦ実装したりして搭載することが好ましい。
【００２０】
本例において、第１の基板１２の情報表示画面領域以外の領域にストライプ電極１６から引き出したライン状電極２１と、Ｌ字型フレキシブルケーブル２４の情報表示画面領域以外の領域であってフレキシブルケーブル２６に接続された側と反対側の領域に設けられている電極２５の先端部２５−Ａとは、第１の基板１２、第２の基板１１およびＬ字型フレキシブルケーブル２４を重ね合わせたときに、対応する位置、好ましくは対向して対応する位置となるよう配置されている。また、本例では、第２の基板のフレキシブルケーブル２３とＬ字型フレキシブルケーブル２４のフレキシブルケーブル２６（ここではＴＣＰ：Tape Carrier Packageを用いている）とが、第１の基板１２、第２の基板１１およびＬ字型フレキシブルケーブル２４を重ね合わせたときに交互に並ぶように、Ｌ字型フレキシブルケーブル２４の図中左右の長さを調整して構成している。この点は、フレキシブルケーブル２３とフレキシブルケーブル２６とが別々の基板に設けられているため、同じ位置で重なり合っても、フレキシブルケーブルと接続するコネクターを工夫することで、問題なく接続を行うことができる。
【００２１】
図３（ａ）、（ｂ）はそれぞれ本発明の情報表示用パネルの一例を説明するための図であり、図３（ａ）は情報表示用パネルを観察面側から見た図を、図３（ｂ）は図３（ａ）におけるＡ−Ａ線に沿った断面を模式的に示す図である。図３（ａ）、（ｂ）に示す例では、本発明の情報表示用パネルの特徴をより良く理解できるように、各構成部材を実際の寸法とは異なる寸法の比率で表示するとともに、部分的に構成部材を省いて表示している。図３（ａ）、（ｂ）に示す例は、図２（ａ）〜（ｃ）に示す第１の基板１２、第２の基板１１およびＬ字型フレキシブルケーブル２４をこの順に重ね合わせて情報表示用パネルを構成している。
【００２２】
図３（ａ）、（ｂ）に示す例において、第１の基板１２、第２の基板１１およびＬ字型フレキシブルケーブル２４を重ね合わせた状態で、情報表示画面領域の外周部において、第１の基板１２と第２の基板１１との間の、基板間ギャップ確保用隔壁３１の外周部に枠状シール剤３２を設けている。また、第１の基板１２と第２の基板１１との間の表示媒体配置層３３には帯電性粒子を含んだ粒子群として構成した表示媒体が封止されており、第１の基板１２に形成した透明ストライプ電極１６と第２の基板１１に形成したストライプ電極１５とを対向直交交差させて形成した電極対から電界を付与してパッシブ駆動でドットマトリックス表示させるドットマトリックス表示方式の情報表示用パネルとしている。なお、図３（ａ）、（ｂ）に示す例では、表示媒体配置層３３を示すのみとして表示媒体を表示していない。基板間ギャップ確保用隔壁３１、枠状シール剤３２および表示媒体さらには表示媒体の封入は、いずれも、従来から知られている情報表示用パネルの構成および封入方法と同じである。
【００２３】
本発明の情報表示用パネルの最大の特徴は、図３（ａ）、（ｂ）に示す例において、第１の基板１２の情報表示画面領域以外の領域にストライプ電極１６から引き出したライン状電極２１と、Ｌ字型フレキシブルケーブル２４の情報表示画面領域以外の領域であってフレキシブルケーブル２６に接続された側と反対側の領域に設けられている電極２５の先端部２５−Ａとを、基板間ギャップ確保用隔壁３１および枠状シール剤３２の外部の１辺において、異方導電性膜（ＡＣＦ：Anisotropic Conductive Film）などの異方導電接続材３４により電気的に接続して基板間導通を行った点である。異方導電性膜（ＡＣＦ）は、導電性粒子を非導電性樹脂に含ませた構成の異方導電接続材から構成され、これを用いた電気的接続は従来から知られている例と同じである。なお、異方導電性膜（ＡＣＦ）の代わりに異方導電性ペースト（ＡＣＰ：Anisotropic Conductive Paste）を用いても良い。
【００２４】
上述した本発明の情報表示用パネルによれば、第１の基板１２のストライプ電極１６から引き出したライン状電極２１と、Ｌ字型フレキシブルケーブル２４の電極２５の先端部２５−Ａとを、異方導電接続材３４により接続することで、Ｌ字型フレキシブルケーブル２４の電極２５、異方導電接続材３４、ライン状電極２１を介して第１の基板１２のストライプ電極１６に駆動用の電圧を印加することができる。上記構成を、本発明では情報表示画面領域以外の領域に設けた異方導電接続材３４のみで構成できるため、従来と比較して狭額縁化を達成することができる。また、駆動回路側との接続を同じ１辺で行う場合、フレキシブルケーブル２３とフレキシブルケーブル２６とを、それぞれ、別の面に形成できるため、フレキシブルケーブル２３とフレキシブルケーブル２６との重なり合いを許容することができる。
【００２５】
＜第２の実施の形態について＞
図４（ａ）〜（ｃ）はそれぞれ本発明の情報表示用パネルを構成する第１の基板、第２の基板およびＬ字型フレキシブルケーブルの第２の実施の形態を説明するための図である。図４（ａ）〜（ｃ）に示す第２の実施の形態は、駆動回路側の接続を対向する２辺で行う例を示している。
【００２６】
まず、図４（ａ）に示す第１の基板（観察側基板）１２は、情報表示画面領域（図中点線で囲まれた領域）に透明なストライプ電極（透明導電膜）１６が形成され、情報表示画面領域以外の領域に前記ストライプ電極１６から引き出したライン状電極（導電膜）２１が形成された透明な基板として構成される。次に、図４（ｂ）に示す第２の基板（背面側基板）１１は、情報表示画面領域にストライプ電極（導電膜）１５が形成され、情報表示画面領域以外の領域に前記ストライプ電極１５から引き出したライン状電極（導電膜）２２が形成されたフィルム状の基板として構成される。駆動用ＩＣの接続端子数に対応してまとめられたライン状電極２２は、パネルの１辺において、外部の駆動回路側と接続される駆動用ＩＣが実装されたフレキシブルケーブル２３に接続されている。この第２の基板１１の厚さはできるだけ薄いことが好ましい。次に、図４（ｃ）に示すＬ字型フレキシブルケーブル２４は、駆動回路側への接続配線用のＬ字形状のライン状電極（導電膜）２５が形成されたＬ字型フレキシブルケーブルであり、ここでは第１の基板のストライプ電極に対応して３枚用いている。電極２５は駆動用ＩＣの接続端子数に対応して形成されており、第２の基板のフレキシブルケーブル２３を配置した辺に対向する１辺において、外部の駆動回路側と複数のフレキシブルケーブル２６にて接続されている。
【００２７】
本例において、第１の基板１２の情報表示画面領域以外の領域にストライプ電極１６から引き出したライン状電極２１と、Ｌ字型フレキシブルケーブル２４の情報表示画面領域以外の領域であってフレキシブルケーブル２６に接続された側と反対側の領域に設けられている電極２５の先端部２５−Ａとは、第１の基板１２、第２の基板１１およびＬ字型フレキシブルケーブル２４を重ね合わせたときに、対応する位置、好ましくは対向して対応する位置となるよう配置されている。
【００２８】
図５は本発明の情報表示用パネルの他の例を説明するための図である。図５に示す例では、本発明の情報表示用パネルの特徴をより良く理解できるように、各構成部材を実際の寸法とは異なる寸法の比率で表示するとともに、部分的に構成部材を省いて表示している。図５に示す例は、図４（ａ）〜（ｃ）に示す第１の基板１２、第２の基板１１およびＬ字型フレキシブルケーブル２４をこの順に重ね合わせて情報表示用パネルを構成している。図５に示す例でも、本発明の情報表示用パネルの特徴となるＬ字型フレキシブルケーブル２４を用いた異方導電接続材３４の構成および効果は、上述した第１の実施の形態の例と同じである。
【００２９】
＜第３の実施の形態について＞
図６（ａ）〜（ｃ）はそれぞれ本発明の情報表示用パネルを構成する第１の基板、第２の基板およびＬ字型フレキシブルケーブルの第３の実施の形態を説明するための図である。図６（ａ）〜（ｃ）に示す第３の実施の形態は、駆動回路側の接続を対向する２辺で行う例を示している。
【００３０】
まず、図６（ａ）に示す第１の基板（観察側基板）１２は、情報表示画面領域（図中点線で囲まれた領域）に透明なストライプ電極（透明導電膜）１６が形成され、情報表示画面領域以外の領域に前記ストライプ電極１６から引き出したライン状電極（導電膜）２１が形成された透明な基板として構成される。次に、図６（ｂ）に示す第２の基板（背面側基板）１１は、情報表示画面領域にストライプ電極（導電膜）１５が形成され、情報表示画面領域以外の領域に前記ストライプ電極１５から引き出したライン状電極（導電膜）２２が形成されたフィルム状の基板として構成される。駆動用ＩＣの接続端子数に対応してまとめられたライン状電極２２は、パネルの１辺において、外部の駆動回路側と接続される駆動用ＩＣがＴＡＢ実装されたフレキシブルケーブル２３に接続されている。この第２の基板１１の厚さはできるだけ薄いことが好ましい。次に、図６（ｃ）に示すＬ字型フレキシブルケーブル２４は、駆動回路側への接続配線用のＬ字形状のライン状電極（導電膜）２５が形成されたＬ字型フレキシブルケーブルであり、ここでは第１の基板のストライプ電極に対応して３枚用いている。電極２５は領域ごとにまとめられて、第２の基板のフレキシブルケーブル２３を配置した辺およびこの辺に対向する辺の２辺において、外部の駆動回路側と接続される駆動用ＩＣがＴＡＢ実装された複数のフレキシブルケーブル２６に接続されている。
【００３１】
本例において、第１の基板１２の情報表示画面領域以外の領域にストライプ電極１６から引き出したライン状電極２１と、Ｌ字型フレキシブルケーブル２４の情報表示画面領域以外の領域であってフレキシブルケーブル２６に接続された側と反対側の領域に設けられている電極２５の先端部２５−Ａとは、第１の基板１２、第２の基板１１およびＬ字型フレキシブルケーブル２４を重ね合わせたときに、対応する位置、好ましくは対向して対応する位置となるよう配置されている。
【００３２】
図７は本発明の情報表示用パネルのさらに他の例を説明するための図である。図７に示す例では、本発明の情報表示用パネルの特徴をより良く理解できるように、各構成部材を実際の寸法とは異なる寸法の比率で表示するとともに、部分的に構成部材を省いて表示している。図７に示す例は、図６（ａ）〜（ｃ）に示す第１の基板１２、第２の基板１１およびＬ字型フレキシブルケーブル２４をこの順に重ね合わせて情報表示用パネルを構成している。図７に示す例でも、本発明の情報表示用パネルの特徴となるＬ字型フレキシブルケーブル２４を用いた異方導電接続材３４の構成および効果は、上述した第１の実施の形態の例と同じである。
【００３３】
＜第４の実施の形態＞
図８（ａ）、（ｂ）はそれぞれ本発明の情報表示用パネルを構成する第１の基板、第２の基板およびＬ字型フレキシブルケーブルの第４の実施の形態を説明するための図である。図８（ａ）はＬ字型フレキシブルケーブル２４を示し、図８（ｂ）は第１の基板１２と第２の基板１１とを重ね合わせて構成した情報表示用パネルを示している。本例のＬ字型フレキシブルケーブル２４は４枚のＬ字型フレキシブルケーブル２４−１〜２４−４とし、異方導電接続材（ＡＣＦ）３４とは反対側のフレキシブルケーブル２６−１〜２６−４に接続する電極２５（図中には記載していない）の端子部は、フレキシブルケーブル２４−１と２４−２とが、また、フレキシブルケーブル２４−３と２４−４とが、それぞれ重なり合うように、パネルの短辺側であって第２の基板１１に設けたフレキシブルケーブル２３−１、２３−２を形成した辺と対向する側の１辺に設けている。
【００３４】
図９（ａ）、（ｂ）は、それぞれ、図８（ｂ）においてＡ側からおよびＢ側から見た情報表示用パネルの端面を模式的に示す図である。Ａ側から見た図９（ａ）に示す例では、Ｌ字型フレキシブルケーブル２４−１〜２４−４に実装した４個の駆動用ＩＣ搭載フレキシブルケーブル２６−１〜２６−４が、フレキシブルケーブル２６−１と２６−２とが、また、フレキシブルケーブル２６−３と２６−４とが、それぞれ重なり合うよう配置されている。Ｂ側から見た図９（ｂ）に示す例では、第２の基板１１の短辺側に実装した２個の駆動用ＩＣ搭載フレキシブルケーブル２３−１、２３−２とが並列に配置されている。
【００３５】
図１０（ａ）〜（ｃ）は、それぞれ、図９（ａ）、（ｂ）に示した例以外の本発明の情報表示用パネルの端部におけるフレキシブルケーブルの他の配置例を説明するための図である。図１０（ａ）に示す例では、フレキシブルケーブル２３−１〜２３−４とフレキシブルケーブル２６−１〜２６−３とを互い違いに２段に配置している。図１０（ａ）に示す例では、駆動用ＩＣを統制したフレキシブルケーブル（ＴＣＰともいう）が２段に配置されるので幅を取らない。図１０（ｂ）に示す例では、フレキシブルケーブル２３−１〜２３−４とフレキシブルケーブル２６−１〜２６−３とを、それぞれ同じ面毎に同じ１辺にそれぞれ並列に並べて２段に配置している。図１０（ｃ）に示す例では、フレキシブルケーブル２３−１〜２３−４とフレキシブルケーブル２６−３とを、互い違いにＴＣＰに搭載した駆動用ＩＣが重なるよに同じ１辺に並列に配置している。
【００３６】
次に、本発明の情報表示用パネルを構成する各構成部材について説明する。
【００３７】
対向電極対が形成する画素と、少なくとも２種類の表示媒体が組み合わされて配置されたセルとは対応するようにしたり、対応しないようにしたりできる。三原色カラーフィルターと白色表示媒体、黒色表示媒体とを組み合せてカラー表示を行う場合や、三原色カラー表示媒体と黒色表示媒体または三原色カラー表示媒体と白色表示媒体を組み合せてカラー表示を行う場合には、画素とセルとを対応させるのが好ましい。
【００３８】
表示媒体を配置する対向基板間に隔壁を設けることでセルを形成したり、表示媒体を封止したマイクロカプセルとしてセルを形成したりすることができる。また、対向基板間ギャップを確保するために設ける基板間ギャップ確保用隔壁と、表示媒体とする粒子群がパネル基板と平行な方向に移動することを抑制する機能を担うセル形成用隔壁とを設ける場合には、基板間ギャップ確保用隔壁の幅は、２０μｍ〜１００μｍの範囲が好ましく、セル形成用隔壁の幅は、５μｍ〜３０μｍの範囲で、できるだけ細くすることが好ましい。さらにまた、セル形成用隔壁は基板間ギャップ確保用隔壁の高さよりも低くしてもよく、表示媒体とする粒子群がパネル基板と平行な方向に移動することを抑制する機能を損なわない範囲とする。セル形成用隔壁は双方のパネル基板の対向位置に形成し、基板同士を重ね合わせたときに対向する構成としてもよく、この場合、隔壁の対向部分を接合してもよいし接合しなくてもよい。
【００３９】
パネル基板間ギャップ確保用として設ける隔壁部分（パネル基板間ギャップ確保用隔壁部分）および基板間空間を小部屋に仕切るための隔壁部分（セル形成用隔壁部分）の配置は、格子状、ハニカム状、網目状などにすることができる。セルの横断面形状は、四角形、三角形、六角形、階段型八角形等の多角形や、円形、楕円形、レーストラック形等いずれでも良いし、複数の形状を組み合わせても良い。表示部の開口率を大きくできる点からは四角形や六角形、階段型八角形等の多角形が好ましく、表示媒体を構成する粒子を移動しやすくできる点からは曲線を有する形状が好ましい。また、マトリックス配置された画素とセルとを対応させる場合には隔壁を格子状を基調に形成して、セル形状を四角形や階段型八角形にすることが好ましい。前記観点から角丸付きの四角形や角丸付きの階段型八角形等の角丸付き多角形が好ましく用いられる。
【００４０】
基板間ギャップ確保用として設ける隔壁や、基板間ギャップ確保および異なる表示色で情報画像を表示する表示エリア境界に設ける隔壁およびセル形成専用の隔壁の形成材料としては、ドライフィルムレジスト材が好適に用いられる。一例として、アルフォＮＩＴ２（ニチゴーモートン社製）やＰＤＦ３００（新日鐵化学社製）を使用することができる。
【００４１】
形成したい隔壁部分の高さに合せた厚みのドライフィルムレジスト材をパネル基板に積層し、所定形状のフォトマスクを用いてフォトリソ法によってパターニングする。
【００４２】
基板間ギャップ確保用の隔壁部分の幅は、２０μｍ〜１００μｍの範囲とし、セル形成用の隔壁部分の幅は、５μｍ〜３０μｍの範囲とし、セル形成用の隔壁部分の幅を、基板間ギャップ確保用の隔壁部分の幅よりも小さくすると表示部の開口率が増すので好ましい。
【００４３】
導電膜をパターニングして電極とする導電材料のうち、観察側の基板とする透明な第１の基板には透明導電膜が得られる、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類、ポリアニリン、ポリピロール、ポリチオフェン等の透明導電性高分子類を用いる。
【００４４】
導電膜をパターニングして電極とする導電材料のうち、観察側に配置されない第２の基板およびＬ字型フレキシブルケーブルには、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の導電金属酸化物類、ポリアニリン、ポリピロール、ポリチオフェン等の導電性高分子類や、金、銀、銅、アルミニウム、ニッケル、クロム等の金属や、これらの金属を主成分とする合金を用いる。これらの電極とする導電膜は透明であってもよいし、透明でなくても良い。
【００４５】
電極とする導電膜の形成方法としては、上記例示の材料をスパッタリング法、真空蒸着法、ＣＶＤ（化学蒸着）法、塗布法、メッキ法等で薄膜状に形成する方法や金属箔（例えば圧延銅箔）をラミネートする方法、導電剤を溶媒や合成樹脂バインダーに混合して塗布したりする方法が用いられる。パターン形成可能で導電性である上記材料を好適に用いることができる。なお、観察側の透明電極の厚みは、導電性が確保でき光透過性に支障がなければ良く、０．０１〜１０μｍが好ましく、０．０５〜５μｍがより好ましい。また、観察側ではない電極の厚みは、導電性が確保できれば良く、０．０１〜１０μｍの範囲で設ける。
【００４６】
観察側基板（透明な第１の基板）に設ける電極として好適な透明導電性材料は、金属材料に比べて可とう性が小さい。情報表示画面領域に設けるストライプ電極のほか観察側電極をライン状電極とする場合には、透明電極材中での断線防止のため、金属細線と併用することが好ましい。この金属細線の幅は、１μｍ〜１０μｍとすれば表示視認性の妨げとならないので好ましい。背面側基板（第２の基板）やＬ字型フレキシブルケーブルに設ける電極は光透過性を考慮する必要がないので電気抵抗が小さく、可とう性にも優れた前記金属材料が好適に用いられる。
【００４７】
第１の基板は透明である必要があり、ポリエチレンテレフタレート（ＰＥＴ）、ポリエチレンナフタレート（ＰＥＮ）などのエステル系樹脂や、ポリエチレン（ＰＥ）、ポリプロピレン（ＰＰ）などのオレフィン系樹脂、ポリメチルメタクリレート（ＰＭＭＡ）などのアクリル樹脂やポリカーボネート（ＰＣ）、ポリエーテルサルフォン（ＰＥＳ）、ポリイミド（ＰＩ）などの透明なポリマーフィルムや透明なポリマーシートを用いることが出来る。また、ガラスシートを使用することもできる。
【００４８】
第２の基板は透明性を必要としないので、前述と同じ材料のポリマーフィルムやポリマーシートであって透明でないものも使用することができるほか、その他種々の材料で構成したフィルムを使用できる。第１の基板とＬ字型フレキシブルケーブルとを異方導電性接続材を用いて接続するので第１の基板とＬ字型フレキシブルケーブルとの基板間距離は短い方が好ましく、第１の基板とＬ字型フレキシブルケーブルとの間に配置する第２の基板は薄いことが望ましい。そのため、第２の基板としては厚さが２５μｍ〜２００μｍのフィルム状の基板が好適である。第２の基板の厚さが２００μｍを超えると上記理由から異方導電性接続材を用いた基板間導通において不具合が起こることがあり、第２の基板の厚さが２５μｍより薄いとパネル作製時の取り扱いが難しくなる不都合がある。
【００４９】
Ｌ字型フレキシブルケーブルは透明性を必要としないので、幅広く選択した材料を好適に使用することができ、第１の基板や第２の基板に用いた材料と同じものを用いることができる。パネルサイズに合わせて、このＬ字型フレキシブルケーブル同士の一部を重ねて用いる場合には重ねても厚みを取らないポリマーフィルムを用いることが好ましい。Ｌ字型フレキシブルケーブル同士の一部を重ねて用いる場合のＬ字型フレキシブルケーブルとしては厚さが２５μｍ〜２００μｍのフィルム状の基板が好適である。Ｌ字型フレキシブルケーブルの厚さが２００μｍを超えると上記理由から重ねた厚さが厚くなり異方導電性接続材を用いて基板間導通を行った接続部分において不具合が起こることがあり、Ｌ字型フレキシブルケーブルの厚さが２５μｍより薄いとパネル作製時の取り扱いが難しくなる不都合がある。
【００５０】
導電性接続材料としては、非導電性の熱硬化性樹脂に導電粒子を分散させてフィルム状に成型した異方性導電フィルム（Anisotropic Conductive Film：ACF）やフィルム状に成型せずに、非導電性の熱硬化性樹脂に導電性粒子を分散させペースト状にした異方導電性ペースト（Anisotropic Conductive Paste：ACP）などが好適に用いられる。導電粒子としては、平均粒子径３〜５μｍ程度の球形樹脂の表面にニッケルや金がめっきされたものや、平均粒子径３〜５μｍ程度の球形樹脂の外側を導電性材料でコートしたものが用いられる。また、第１の基板やＬ字型フレキシブルケーブルの接続用電極部分にバンプを作製する場合は、導電粒子を含まない非導電性フィルム（Non Conductive Film：NCF）や、非導電性ペースト（Non Conductive Paste：NCP）なども使用できる。
【実施例】
【００５１】
以下、実際の例について説明する。なお、以下の実施例１〜６では、Ｌ字型フレキシブルケーブルに形成したＬ字型ストライプ状にパターニングした電極はＬ字型フレキシブルケーブルに設ける駆動回路側との接続端子部を、すべて同じ１辺に、かつ、第２の基板に設ける駆動回路側との接続端子部と同じ１辺に構成し、図３に示した構造のディスプレイパネルとした。
【００５２】
＜実施例１＞
厚さ１２５μｍの透明ポリエチレンテレフタレート（ＰＥＴ）樹脂基板にストライプ状に形成されたＩＴＯ（錫ドープ酸化インジウム）を用いた透明電極形成済フィルムを第１の基板として作製した。厚さ１２５μｍの透明ＰＥＴ樹脂基板（第１の基板）に形成されたストライプ状の電極と直交する方向にストライプ状にＩＴＯ（錫ドープ酸化インジウム）を用いた電極が形成された厚さ１２５μｍのＰＥＴ基板（第２の基板）を作製した。第２の基板の電極は情報表示画面領域の外側の部分で直径５μｍの導電粒子を含んだ異方導電膜（ＡＣＦ）を用いて、ドライバーＩＣ（駆動用ＩＣ）が実装されたフレキシブルケーブル（ＴＣＰともいう）と電気的に接続した。Ｌ字型フレキシブルケーブルとして、銅箔をラミネートしたポリイミドフィルムをエッチングすることにより、厚さ１２５μｍのＬ字型フィルムに合わせてＬ字ストライプ状にパターニングした銅電極を作製した。このＬ字型フレキシブルケーブルは第１の基板の電極ライン数とこのフレキシブルケーブルに搭載したドライバーＩＣとの対応がとれるように３枚用い、第１の基板の電極と、３枚のＬ字型フレキシブルケーブルとは、情報表示画面領域の外側で前記と同じＡＣＦを用いて電気的に接続した。また、Ｌ字型フレキシブルケーブル上に作製された電極の第１の基板と接続された部分の反対側の部分の先端部で、前記と同じＡＣＦを用いてドライバーＩＣが実装されたＴＣＰと電気的に接続した。第２の基板およびＬ字型フレキシブルケーブルに接続されたドライバーＩＣ付きＴＣＰを駆動回路側にコネクターを用いて接続し、情報表示用パネルにテスト画像を表示させた。その結果、縦・横とも断線やリークを起こすことなく、良好に表示を行うことが出来た。
【００５３】
＜実施例２＞
厚さ１２５μｍの透明ＰＥＴ樹脂基板にストライプ状に形成されたＩＴＯ（錫ドープ酸化インジウム）を用いた透明電極形成済フィルムを第１の基板として作製した。厚さ１２５μｍの透明ＰＥＴ樹脂基板（第１の基板）に形成されたストライプ状の電極と直交する方向にストライプ状にＩＴＯ（錫ドープ酸化インジウム）を用いた電極が形成された厚さ１２５μｍのＰＥＴ基板（第２の基板）を作製した。第２の基板の電極は情報表示画面領域の外側の部分にＡＣＦを用いて、ドライバーＩＣが実装されたＴＣＰと電気的に接続した。Ｌ字型フレキシブルケーブルとして、厚さ１２５μｍのＬ字型透明ＰＥＴフィルムに合わせてアルミニウム電極がストライプ状に形成されたものを準備した。このＬ字型フレキシブルケーブルとしては第１の基板の電極ライン数とこのフレキシブルケーブルに搭載したドライバーＩＣとの対応がとれるように３枚用い、第１の基板の電極と、３枚のＬ字型フレキシブルケーブルとは、情報表示画面領域の外側でＡＣＦを用いて電気的に接続した。また、Ｌ字型フレキシブルケーブル上に作製された電極の第１の基板と接続された部分の反対側の部分の先端部で、前記と同じＡＣＦを用いてドライバーＩＣが実装されたＴＣＰと電気的に接続した。第２の基板およびＬ字型フレキシブルケーブルに接続されたドライバーＩＣ付きＴＣＰを駆動回路側にコネクターを用いて接続し、情報表示用パネルにテスト画像を表示させた。その結果、縦・横とも断線やリークを起こすことなく、良好に表示を行うことが出来た。ＡＣＦは実施例１と同じものを用いた。
【００５４】
＜実施例３＞
厚さ２５０μｍの透明ＰＥＴ樹脂基板にストライプ状に形成されたＩＴＯ（錫ドープ酸化インジウム）を用いた透明電極形成済フィルムを第１の基板として作製した。厚さ２５０μｍの透明ＰＥＴ樹脂基板（第１の基板）に形成されたストライプ状の電極と直交する方向にストライプ状にＩＴＯ（錫ドープ酸化インジウム）を用いた電極が形成された厚さ２００μｍのＰＥＴ基板（第２の基板）を作製した。第２の基板の電極は情報表示画面領域の外側の部分で実施例１と同じＡＣＦを用いて、ドライバーＩＣが実装されたＴＣＰと電気的に接続した。Ｌ字型フレキシブルケーブルとして、銅箔をラミネートした厚さ５０μｍのポリイミドフィルムをエッチングすることによりストライプ状にパターニングした銅電極を作製した。このＬ字型フレキシブルケーブルには第１の基板の電極ライン数とドライバーＩＣとの対応がとれるように２枚用い、第１の基板の電極と、２枚のＬ字型フレキシブルケーブルとは、情報表示画面領域の外側で前記と同じＡＣＦを用いて電気的に接続した。また、Ｌ字型フレキシブルケーブル上に作製された電極の第１の基板と接続された部分の反対側の部分の先端部で、前記と同じＡＣＦを用いてドライバーＩＣが実装されたＴＣＰと電気的に接続した。第２の基板およびＬ字型フレキシブルケーブルに接続されたドライバーＩＣ付きＴＣＰを駆動回路側にコネクターを用いて接続し、情報表示用パネルにテスト画像を表示させた。その結果、縦・横とも断線やリークを起こすことなく、良好に表示を行うことが出来た。ＡＣＦは実施例１と同じものを用いた。
【００５５】
＜実施例４＞
厚さ２５０μｍの透明ＰＥＴ樹脂基板にストライプ状に形成されたＩＴＯ（錫ドープ酸化インジウム）を用いた透明電極形成済フィルムを第１の基板として作製した。厚さ２５０μｍの透明ＰＥＴ樹脂基板（第１の基板）に形成されたストライプ状の電極と直交する方向にストライプ状にＩＴＯ（錫ドープ酸化インジウム）を用いた電極が形成された厚さ２５μｍのＰＥＴ基板（第２の基板）を作製した。第２の基板の電極は情報表示画面領域の外側の部分で実施例１と同じＡＣＦを用いて、ドライバーＩＣが実装されたＴＣＰと電気的に接続した。Ｌ字型フレキシブルケーブルとして、銅箔をラミネートした厚さ５０μｍのポリイミドフィルムをエッチングすることによりストライプ状にパターニングした銅電極を作製した。このＬ字型フレキシブルケーブルには第１の基板の電極ライン数とこのフレキシブルケーブルに搭載したドライバーＩＣとの対応がとれるように４枚用い、第１の基板の電極と、４枚のＬ字型フレキシブルケーブルとは、情報表示画面領域の外側で前記と同じＡＣＦを用いて電気的に接続した。また、Ｌ字型フレキシブルケーブル上に作製された電極の第１の基板と接続された部分の反対側の部分の先端部で、前記と同じＡＣＦを用いてドライバーＩＣが実装されたＴＣＰと電気的に接続した。第２の基板およびＬ字型フレキシブルケーブルに接続されたドライバーＩＣ付きＴＣＰを駆動回路側にコネクターを用いて接続し、情報表示用パネルにテスト画像を表示させた。その結果、縦・横とも断線やリークを起こすことなく、良好に表示を行うことが出来た。ＡＣＦは実施例１と同じものを用いた。
【００５６】
＜実施例５＞
厚さ２５０μｍの透明ＰＥＴ樹脂基板にストライプ状に形成されたＩＴＯ（錫ドープ酸化インジウム）を用いた透明電極形成済フィルムを第１の基板として作製した。厚さ２５０μｍの透明ＰＥＴ樹脂基板（第１の基板）に形成されたストライプ状の電極と直交する方向にストライプ状にＩＴＯ（錫ドープ酸化インジウム）を用いた電極が形成された厚さ２５０μｍのＰＥＴ基板（第２の基板）を作製した。第２の基板の電極は情報表示画面領域の外側の部分でＡＣＦを用いて、ドライバーＩＣが実装されたＴＣＰと電気的に接続した。Ｌ字型フレキシブルケーブルとして、２５０μｍのＬ字型透明ＰＥＴフィルムに合わせてアルミニウム電極がストライプ状に形成されたものを準備した。このＬ字型フレキシブルケーブルとしては第１の基板の電極ライン数とこのフレキシブルケーブルに搭載したドライバーＩＣとの対応がとれるように３枚用い、第１の基板の電極と、３枚のＬ字型フレキシブルケーブルとは、情報表示画面領域の外側でＡＣＦを用いて電気的に接続した。また、Ｌ字型フレキシブルケーブル上に作製された電極の第１の基板と接続された部分の反対側の部分の先端部で、前記と同じＡＣＦを用いてドライバーＩＣが実装されたＴＣＰと電気的に接続した。第２の基板およびＬ字型フレキシブルケーブルに接続されたドライバーＩＣ付きＴＣＰを駆動回路側にコネクターを用いて接続し、情報表示用パネルにテスト画像を表示させた。ＡＣＦは実施例１と同じものを用いた。このパネルでは動作しないラインが見られるものがいくつかあり、この不具合のあったパネルを詳細に観察したところ、第１の基板の電極とＬ字型フレキシブルケーブルのアルミニウム電極とのＡＣＦ接続部分の一部で接続不良が見つかった。原因はＬ字型フレキシブルケーブルを撓らせてＡＣＦ接続を行ったが、このＬ字型フレキシブルケーブルのフィルムが２５０μｍのＰＥＴフィルムであったため弾性戻りの力がＡＣＦ接続部に強く働いたことが考えられる。
【００５７】
＜実施例６＞
厚さ１２５μｍの透明ＰＥＴ樹脂基板にストライプ状に形成されたＩＴＯ（錫ドープ酸化インジウム）を用いた透明電極形成済フィルムを第１の基板として作製した。厚さ１２５μｍの透明ＰＥＴ樹脂基板（第１の基板）に形成されたストライプ状の電極と直交する方向にストライプ状にＩＴＯ（錫ドープ酸化インジウム）を用いた電極が形成された厚さ１２５μｍのＰＥＴ基板（第２の基板）を作製した。第２の基板の電極は情報表示画面領域の外側の部分で直径５μｍの導電粒子を含んだ異方導電膜（ＡＣＦ）を用いて、ドライバーＩＣが実装されたフレキシブルケーブル（ＴＣＰともいう）と電気的に接続した。Ｌ字型フレキシブルケーブルとして、銅箔をラミネートした厚さ７５μｍのポリイミドフィルムをエッチングすることにより、Ｌ字型フィルムに合わせてＬ字ストライプ状にパターニングした銅電極を作製した。このＬ字型フレキシブルケーブルには第１の基板の電極ライン数とこのフレキシブルケーブルに搭載したドライバーＩＣとの対応がとれるように３枚用い、第１の基板の電極と、３枚のＬ字型フレキシブルケーブルとは、情報表示画面領域の外側で前記と同じＡＣＦを用いて電気的に接続した。また、Ｌ字型フレキシブルケーブル上に作製された電極の第１の基板と接続された部分の反対側の部分の先端部で、前記と同じＡＣＦを用いてドライバーＩＣが実装されたＴＣＰと電気的に接続した。ここではＬ字型フレキシブルケーブルのドライバー実装側を実施例１の場合とは１８０度異なる側とし、第２の基板およびＬ字型フレキシブルケーブルに接続されたドライバーＩＣ付きＴＣＰを駆動回路側にコネクターを用いて接続し、情報表示用パネルにテスト画像を表示させた。その結果、縦・横とも断線やリークを起こすことなく、良好に表示を行うことが出来た。
【産業上の利用可能性】
【００５８】
本発明の対象となる情報表示用パネルは、ノートパソコン、ＰＤＡ、携帯電話、ハンディターミナル等のモバイル機器の表示部、電子書籍、電子新聞、電子マニュアル（取扱説明書）等の電子ペーパー、看板、ポスター、黒板等の掲示板、電卓、家電製品、自動車用品等の表示部、ポイントカード、ＩＣカード等のカード表示部、電子広告、電子ＰＯＰ（Point of presence, Point of Purchase advertising）、電子値札、電子棚札、電子楽譜、ＲＦ−ＩＤ機器の表示部や、外部表示書き換え手段と接続して表示書き換えを行う表示部（いわゆるリライタブルペーパー）として好適に用いられる。
【図面の簡単な説明】
【００５９】
【図１】（ａ）、（ｂ）はそれぞれ本発明の対象となる情報表示用パネルの一例を説明するための図である。
【図２】（ａ）〜（ｃ）はそれぞれ本発明の情報表示用パネルを構成する第１の基板、第２の基板およびＬ字型フレキシブルケーブルの第１の実施の形態を説明するための図である。
【図３】（ａ）、（ｂ）はそれぞれ本発明の情報表示用パネルの一例を説明するための図である。
【図４】（ａ）〜（ｃ）はそれぞれ本発明の情報表示用パネルを構成する第１の基板、第２の基板およびＬ字型フレキシブルケーブルの第２の実施の形態を説明するための図である。
【図５】本発明の情報表示用パネルの他の例を説明するための図である。
【図６】（ａ）〜（ｃ）はそれぞれ本発明の情報表示用パネルを構成する第１の基板、第２の基板およびＬ字型フレキシブルケーブルの第３の実施の形態を説明するための図である。
【図７】本発明の情報表示用パネルのさらに他の例を説明するための図である。
【図８】（ａ）、（ｂ）はそれぞれ本発明の情報表示用パネルを構成する第１の基板、第２の基板およびＬ字型フレキシブルケーブルの第４の実施の形態を説明するための図である。
【図９】（ａ）、（ｂ）は、それぞれ、図８（ｂ）においてＡ側からおよびＢ側から見た情報表示用パネルの端面を模式的に示す図である。
【図１０】（ａ）〜（ｃ）は、それぞれ、図９（ａ）、（ｂ）に示した例以外の本発明の情報表示用パネルの端部におけるフレキシブルケーブルの他の配置例を説明するための図である。
【図１１】（ａ）〜（ｃ）はそれぞれ従来の情報表示用パネルの一例を説明するための図である。
【符号の説明】
【００６０】
１、２  基板
３Ｗ  白色表示媒体
３Ｗａ  白色負帯電性粒子
３Ｂ  黒色表示媒体
３Ｂａ  黒色正帯電性粒子
４  隔壁
５、６  電極
１１  第２の基板
１２  第１の基板
１５、１６  ストライプ状電極
２１、２２  ライン状電極
２３、２３−１、２３−２、２３−３、２３−４  フレキシブルケーブル
２４、２４−１、２４−２、２４−３、２４−４  Ｌ字型フレキシブルケーブル
２６、２６−１、２６−２、２６−３、２６−４  フレキシブルケーブル
２５  電極
２５−Ａ  先端部
３１  基板間ギャップ確保用隔壁
３２  枠状シール剤
３３  表示媒体配置層
３４  異方導電接続材
【図１】
2010145740.tif 000003
【図２】
2010145740.tif 000004
【図３】
2010145740.tif 000005
【図４】
2010145740.tif 000006
【図５】
2010145740.tif 000007
【図６】
2010145740.tif 000008
【図７】
2010145740.tif 000009
【図８】
2010145740.tif 000010
【図９】
2010145740.tif 000011
【図１０】
2010145740.tif 000012
【図１１】
2010145740.tif 000013